(57)【要約】【課題】  最大紙幣収納枚数を増やすことができる紙幣収納装置を提供する。【解決手段】  （ａ）紙幣送入路の始端部における前記金庫等の収納空間の入口側に、幅方向一端部において垂直軸周りに回転自在に支持されたほぼ帯板状のフラップと、（ｂ）フラップをその自由端が上部ガイドの下端と下部ガイドの上端を結ぶ直線に限りなく近い位置に存在する第１位置と、フラップの自由端が紙幣送入路の金庫等の収納空間の入口と反対側の第２位置との間を回転させるフラップ駆動手段と、（ｃ）紙幣が紙幣送入路に送入されるときは、フラップ駆動手段にフラップを第１位置に保持させ、紙幣送入路に送入された紙幣が押板により上部ガイドと下部ガイドを乗り越える位置まで押し込まれたときは、フラップ駆動手段にフラップを第２位置まで回転させた後、再び第１位置に復帰させる制御手段とを備えた。【選択図】  図２
2010113637.tif 000002
【特許請求の範囲】
【請求項１】
紙幣搬送路を横長垂直状態で搬送されてきた紙幣を前記紙幣搬送路の末端から金庫等の収納空間の入口に臨む紙幣送入路に送入させ、その紙幣を前記紙幣送入路の前記収納空間と反対側の位置に退避させてある押板により前記収納空間の入口の上辺と下辺を形成している上部ガイドと下部ガイドを乗り越える位置まで押し込み、押し込まれた紙幣を前記収納空間内に前記入口方向に付勢して設けてある受板により受け止めた後、前記押板を前記退避位置まで復帰させるとともに、前記受板に受け止められている紙幣を前記受板と前記上部ガイド及び下部ガイドとの間に挟持して保持する紙幣収納装置において、
前記紙幣送入路の始端部における前記金庫等の収納空間の入口側に、幅方向一端部において垂直軸周りに回転自在に支持されたほぼ帯板状のフラップと、
前記フラップをその自由端が前記上部ガイドの下端と前記下部ガイドの上端を結ぶ直線に限りなく近い位置に存在する第１位置と、前記フラップの自由端が前記紙幣送入路の前記金庫等の収納空間の入口と反対側の第２位置との間を回転させるフラップ駆動手段と、  紙幣が前記紙幣送入路に送入されるときは、前記フラップ駆動手段に前記フラップを第１位置に保持させ、前記紙幣送入路に送入された紙幣が前記押板により前記上部ガイドと下部ガイドを乗り越える位置まで押し込まれたときは、前記フラップ駆動手段に前記フラップを第２位置まで回転させた後、再び第１位置に復帰させる制御手段と、
を備えたことを特徴とする紙幣収納装置。
【請求項２】
フラップは、その自由端側の上部と下部が切欠されていることを特徴とする請求項１に記載の紙幣収納装置。
【請求項３】
フラップは、その自由端側がフレミング曲げ加工及び研磨が施されていることを特徴とする請求項１又は２に記載の紙幣収納装置。
【発明の詳細な説明】
【技術分野】
【０００１】
本発明は、紙幣搬送路の末端から紙幣が横長垂直状態で金庫等の収納空間の入口に臨む紙幣送入路に送入される度に、その紙幣を押板で前記入口を越えて収納空間内に押し込み、その紙幣の背面から受板を付勢手段により付勢して保持する紙幣収納装置に関する。
【背景技術】
【０００２】
紙幣収納装置には、搬送路末端まで横長垂直状態で搬送されてきた紙幣が収納空間の入口に臨む紙幣送入路に送入される度に、その紙幣を前記紙幣送入路の収納空間と反対側に退避させてある押板で収納空間の入口の上下辺を形成している上部ガイドと下部ガイドを乗り越える位置まで押し込み、その押し込まれた紙幣を収納空間内に入口方向に付勢して設けられた受板で受け止め、押板を退避位置まで復帰させるとともに、受板に受け止められている紙幣をその受板と上部ガイド及び下部ガイドとの間に挟持して保持するものがある。
【０００３】
このような紙幣収納装置は、搬送路を搬送されてくる紙幣を所定の金庫又は収納箱（以下、金庫という。）内に能率的に収納できる長所を有しているので、パチンコ機等の遊技機を多数整列して設置してある遊技島の台間玉貸し機等が取り込んだ紙幣を遊技島端部まで搬送し、金庫に収納するために広く用いられている。
【特許文献１】特許第３５１１９８３号公報
【発明の開示】
【発明が解決しようとする課題】
【０００４】
しかし、従来の紙幣収納装置においては、図９（ａ）に示すように、金庫１の収納空間２の入口を形成する上部ガイド３及び下部ガイド４は、紙幣送入路５から等しい位置に設けられていた。さらに詳述すると、上部ガイド３はその下端が上端よりも収納空間側に存在する下り傾斜面を有し、下部ガイド４はその上端が下端よりも収納空間側に存在する傾斜面を有しており、上部ガイド３の上端と下部ガイド４の下端が共通の第１垂直面上に存在し、上部ガイド３の下端と下部ガイド４の上端が共通の第２垂直面上に存在し、第１垂直面よりも第２垂直面が収納空間２側に存在する。
【０００５】
このような上部ガイド３と下部ガイド４の位置関係のために、図示されていない紙幣搬送路の末端から紙幣送入路５に送入された紙幣Ｎが退避位置から収納空間２方向に移動される押板６により収納空間２側に押し込まれる際の挙動は、次のようになる。すなわち、退避位置から収納空間方向に移動する押板６に押されて移動する紙幣Ｎの上辺部と下辺部がほぼ同時に上部ガイド３と下部ガイド４の傾斜面に押し当てられて、その傾斜面に沿って曲げられ、さらに進む押板６に押されて、遂には上下のガイド３，４の端部（上部ガイドの下端及び下部ガイドの上端）を乗り越えて、その紙幣Ｎは収納空間２に押し入れられる(収納される)。そして、上下のガイド３，４の端部を乗り越えると同時に、その紙幣Ｎは収納空間２のコイルばねなどの付勢手段７により奥から入口方向に付勢されている受板８に受け止められ、押板６と受板８又は先に収納されて受板８に支持されている紙幣との間に挟持される。その後、押板６は退避位置に復帰されるため、収納されて受板８の付勢力を受ける紙幣は上部ガイド３と下部ガイド４の（紙幣送入路５に対して）裏面に押し当てられた状態で保持される。
【０００６】
ところで、搬送路末端から紙幣送入路５に到達する紙幣は、様々な要因により、必ずしもすべての紙幣が正常な姿勢で送入されるとは限らない。すなわち、下辺が紙幣送入路５の底面に接触した状態で送入される紙幣もあれば、下辺が紙幣送入路５の底面に接触せずに、その底面から例えば２，３ないし５ｍｍ程度浮いた状態で送入される紙幣もあるなど、紙幣の高さ位置が不揃いであることが少なくない。そして、押板６で押し込まれる時は、その紙幣の上辺と下辺が同時に上下のガイド３，４の傾斜面に接触しながら移動されるため、すなわち、紙幣に対してほとんど上下方向の移動力を与えられずに上下のガイド３，４を乗り越えるので、収納空間２側に移動されて受板８に受け止められた状態でも、また、押板５が退避位置に後退して、受板８と上下のガイド３，４との間に挟持された状態でも、紙幣送入路５に送入されたときの紙幣の高さの不揃いがそのまま保持されてしまう。
【０００７】
この上下のガイド３，４に保持されている紙幣に高さの不揃いがあるため、各紙幣は完全な垂直姿勢を保つのではなく、残留応力によりそれそれ固有の湾曲又は屈曲した姿勢を復元しようとする。そのため、図９（ｂ）に例示するように、収納されたすべての紙幣Ｎの湾曲又は屈曲した姿勢の集積により、収納空間２側から紙幣送入路５側への膨らみが大きくなり、紙幣送入路５に後から送入される紙幣が、先に収納されている紙幣の後端に衝突し、紙幣送入路５に紙幣がジャムする虞がある。
【０００８】
上記の問題を解決するため、本出願人は、先の出願明細書（特願２００７−２９４５９０）において、図１０に示すように、紙幣送入路５に送入される紙幣が金庫に先に収納された紙幣と衝突しないようにするため、収納空間２の入口を形成する上部ガイド３と下部ガイド４の内、上部ガイド３を、紙幣送入路に送入された紙幣が押板６で収納空間２に向けて押し込まれる際にその紙幣の上辺が上部ガイド３に押し当てられて乗り越えた後に、その紙幣の下辺が下部ガイド４に押し当てられて乗り越えるように、下部ガイド４よりも紙幣送入路側に寄った位置に設けたことを特徴とする紙幣収納装置を提案した。
【０００９】
上記構成により、押板６により収納空間２に向けて押される紙幣は、その上辺が先に上部ガイド３に押し当てられ、上部ガイドの下端を乗り越える過程で、その紙幣を下向きに移動させる力が作用するため、紙幣送入路５の底面から浮いた状態で送入された紙幣は、その下辺が紙幣送入路５の底面に接触して高さが矯正され、紙幣の上辺は上部ガイド３を乗り越えると同時に受板８又は受板に支持されている紙幣に押し当てられるため、紙幣は矯正された高さを維持し、これと同時に、紙幣の下辺が下部ガイド４に押し当てられてその下部ガイド４の上端を乗り越え、受板８又は受板に支持されている紙幣に押し当てられる。その後、押板６が退避位置まで後退するのに伴い、収納空間２の入口方向に付勢されている受板８が、収納された紙幣を上下のガイド３，４との間に挟持する。従って、収納された紙幣は、すべてがその下辺を金庫の底面１ｂに接触させて高さが揃った状態で上下のガイドに押し当てられるので、垂直状態を維持しようとする。その結果、収納された紙幣が紙幣送入路５に膨らむことがないか、あるとしても極わずかとなる。
【００１０】
しかしながら、上記の提案に係る紙幣収納装置によれば、収納空間に収納された紙幣の高さが整然と揃うという効果は得られるが、膨らみ防止効果はまだ十分とは言えず、そのため、最大紙幣収納枚数に限度があることから、収納空間の容積が同一でも最大紙幣収納枚数を増やすことができる紙幣収納装置の開発が望まれていた。
【００１１】
本発明は、上記要望に応えるためになされたものである。すなわち、本発明は、金庫等の収納の空間に収納された紙幣の膨らみをさらに抑制して最大紙幣収納枚数を増やすことができる紙幣収納装置を提供することを目的としている。
【課題を解決するための手段】
【００１２】
上記課題を解決するため、本発明は、紙幣搬送路を横長垂直状態で搬送されてきた紙幣を前記紙幣搬送路の末端から金庫等の収納空間の入口に臨む紙幣送入路に送入させ、その紙幣を前記紙幣送入路の前記収納空間と反対側の位置に退避させてある押板により前記収納空間の入口の上辺と下辺を形成している上部ガイドと下部ガイドを乗り越える位置まで押し込み、押し込まれた紙幣を前記収納空間内に前記入口方向に付勢して設けてある受板により受け止めた後、前記押板を前記退避位置まで復帰させるとともに、前記受板に受け止められている紙幣を前記受板と前記上部ガイド及び下部ガイドとの間に挟持して保持する紙幣収納装置において、（ａ）前記紙幣送入路の始端部における前記金庫等の収納空間の入口側に、幅方向一端部において垂直軸周りに回転自在に支持されたほぼ帯板状のフラップと、（ｂ）前記フラップをその自由端が前記上部ガイドの下端と前記下部ガイドの上端を結ぶ直線に限りなく近い位置に存在する第１位置と、前記フラップの自由端が前記紙幣送入路の前記金庫等の収納空間の入口と反対側の第２位置との間を回転させるフラップ駆動手段と、（ｃ）紙幣が前記紙幣送入路に送入されるときは、前記フラップ駆動手段に前記フラップを第１位置に保持させ、前記紙幣送入路に送入された紙幣が前記押板により前記上部ガイドと下部ガイドを乗り越える位置まで押し込まれたときは、前記フラップ駆動手段に前記フラップを第２位置まで回転させた後、再び第１位置に復帰させる制御手段とを備えたことを特徴としている（請求項１）。
【００１３】
上記構成により、紙幣が紙幣送入路に送入されるときは、フラップが第１位置に保持されて、フラップの自由端が上部ガイドの下端と前記下部ガイドの上端を結ぶ直線に限りなく近い位置に存在する。従って、先に上部ガイドと下部ガイドを乗り越える位置まで押し込まれた紙幣は、その後端部を受板方向に押さえて保持される。また、紙幣搬送路の末端から紙幣送入路に送入される紙幣は、第１位置にあるフラップにより紙幣送入路内方に円滑に案内される。紙幣送入路の末端まで送入された紙幣が押板により上部ガイドと下部ガイドを乗り越える位置（押し込み終端位置）まで押し込まれたときは、フラップが第２位置まで回転され、その間に押し込まれた紙幣の後端辺側を押し退け、第２位置まで回転された後は再び第１位置に復帰されるので、収納空間に収納された紙幣の後端辺側が紙幣送入路から離れる方向に押さえられる。従って、先に収納された紙幣が紙幣送入路側に膨らんで後に紙幣送入路に送入される紙幣の障害となることがなく、その後に紙幣搬送路の末端から紙幣送入路に送入される紙幣は円滑に紙幣送入路内方に案内される。そして、金庫等の収納空間に収納された紙幣の膨らみがフラップにより良く抑制されるので、最大紙幣収納枚数が格段に増える。
【００１４】
フラップは、その自由端側の上部と下部が切欠されていることが望ましい（請求項２）。
紙幣送入路に送入される紙幣には、送入方向後端部の上下いずれかの角部が折り曲げられている場合がある。フラップが単純な帯状に形成されているときは、その紙幣の送入方向後端部の折曲片が第１位置から第２位置に回転されるときのフラップの端縁に引っ掛かって、紙幣送入路への送入方向と逆方向に戻される虞がある。戻されると、フラップが第２位置から第１位置に復帰される時に、紙幣の後端部は収納空間側に移動されずに紙幣送入路に居残ることとなり、その後の紙幣の送入の障害となる。フラップの自由端側の上部と下部に切欠を設けると、このような不都合の発生が予防される。
【００１５】
また、フラップは、その自由端側がフレミング曲げ加工及び研磨が施されていることが望ましい（請求項３）。
フラップを平帯板で形成したのみでは、フラップが第１位置から第２位置に回転して、紙幣送入路に送入された紙幣の後端辺を押し退けようとする際に、フラップの自由端縁の摩擦により紙幣が紙幣送入路への送入方向と逆方向に戻される虞がある。しかし、フラップの自由端側にフレミング曲げ加工及びバフ研磨やバレル研磨等を施した場合は、このような紙幣の戻りが防止される。
【発明の効果】
【００１６】
請求項１の発明によれば、フラップにより、先に収納空間に収納された紙幣の後端辺側が紙幣送入路から離れる方向に押さえられるため、収納された紙幣が紙幣送入路に膨らむことが効果的に防止され、かつ、後に紙幣搬送路の末端から紙幣送入路に送入される紙幣が円滑に紙幣送入路内方に案内されるので、収納空間の容積が従来と同じでも最大収納枚数を格段に増やすことができる。
【００１７】
請求項２の発明によれば、紙幣送入路に送入される紙幣が後端部の上下いずれかの角部に折曲片を有する場合でも、その折曲片が第１位置から第２位置に回転されるフラップの端縁に引っ掛かって紙幣送入路への送入方向と逆方向に戻されることが予防される。
【００１８】
請求項３の発明によれば、フラップが第１位置から第２位置に回転して、紙幣送入路に送入された紙幣の後端辺を押し退けようとする際に、フラップの自由端縁の摩擦により紙幣が紙幣送入路への送入方向と逆方向に戻されることが予防される。
【発明を実施するための最良の形態】
【００１９】
次に、本発明の実施の形態について、図１ないし図８に基づいて説明する。図１は本発明に係る紙幣収納装置の平面図、図２は要部を抽出した平面図、図３は収納補助機構の斜視図、図４はフラップのみを反対側から見た斜視図、図５は制御手段の構成例を示す回路図、図６は図１の紙幣収納装置を紙幣送入路の入口側から見た部分斜視図、図７は図６の第１位置に存在するフラップが第２位置に回転したときの部分斜視図、図８は制御手段の制御に対応するフラップ駆動手段によるフラップの動作を説明する作用説明図である。図９、１０の従来装置の構成部材と同一の構成部材には、同一の符号を用いる。
【００２０】
本発明に係る紙幣収納装置においても、図９に示されたのと同様に、金庫１の収納空間２が、上部ガイド３と下部ガイド４により形成された入口を有し、その入口の図面左側において入口に望む紙幣送入路５が設けてあり、その紙幣送入路５には、図示されていない紙幣搬送路の末端から紙幣が横長垂直状態で、図１及び図２においては紙面の下側から上向きに送入されるように構成されている。
【００２１】
通常の待機時において紙幣送入路５の収納空間２と反対側の退避位置に保持されている押板６は、紙幣１枚が紙幣送入路５の末端まで送入されたことを図示されていない紙幣センサにより検知するたびに、後述される押板移動機構６０により、紙幣送入路５に存在する紙幣を収納空間２側まで、すなわち、上下のガイド３，４を越えた所定の押し込み位置まで垂直状態を維持したまま移動され、押し込み終端位置まで到達した後、退避位置に復帰されるように構成されている。また、収納空間２内には、付勢手段、例えばコイルばね７により収納空間の入口方向に常に付勢されている受板８が設けてある。受板８は、上下のガイド３，４により受け止められる。
【００２２】
押板移動機構６０は、金庫１の上面板９（又は金庫を着脱自在に収納する収納箱（図示せず）の上面板。以下、同じ。）に固定されたモータ６１と、一端が押板６に固着され、他端に縦長溝状のカム孔を有するカム６２を備えた作動棒６３と、一端はモータ６１の回転軸に固定され、他端が直接又はローラを介してカム６２のカム孔に遊挿されているクランク６４とから構成されている。
【００２３】
押板６には、紙幣送入路５の先端部と後端部付近において水平なガイド軸６５の一端が固着され、各ガイド軸６５は金庫１の上面板１１に固定された軸受６６に完全な水平状態を維持しながら摺動可能に支持されている。
【００２４】
従って、紙幣送入路５への紙幣送入が検知されるたびにモータ６１が１回転されることにより、押板６は退避位置から押し込み終端位置まで移動された後、退避位置に復帰されるようになっている。
【００２５】
図１において、Ａは、本発明により新規に設けられた収納補助機構である。この収納補助機構Ａは、概略的には、図２及び図３に示すように、フラップ１０と、フラップ駆動手段２０と、制御手段３０とから構成されている。フラップ１０は、帯板で形成され、その幅方向一端側に複数個のナックル１１を有し、そのナックルを金庫１に固定されている支持部材４０に形成してあるナックル４１と芯を合わせ、それらのナックルに垂直なピン１２を通すことにより、そのピン１２を中心に回転自在に保持されている。ピン１２は、紙幣送入路５の始端部における金庫の収納空間２の入口側に、すなわち、上部ガイド３の下端と下部ガイド４の上端とを結ぶ平面上又はその至近位置に設けられている。
フラップ１０の上端部を水平に屈曲して形成された連結部１３に、ピン１２から変位した位置に長孔１３ａが設けられている。また、フラップ１０の幅方向他端側の高さ方向中間部分１０ａの幅よりもその上下両側部分１０ｂ，１０ｃの幅を小さくすることにより、中間部分の上下両側に切欠１４ａ，１４ｂが形成されている。そして、それらの高さ方向中間部分１０ａと上下両側部分１０ｂ，１０ｃはフレミング曲げ加工を施した後、バフ研磨又はバレル研磨を施されて、フラップ１０の自由端側の端縁の摩擦係数が極小とされている。
【００２６】
フラップ駆動手段２０は、一例として、キープ型ソレノイド２１と、リンク２２と、レバー２３ととからなっている。ソレノイド２１は、一例として、キープ型ソレノイドであり、リンク２２は、そのソレノイド２１のプランジャー２４に結合され、レバー２３はその長手方向一端部において金庫の上面板９に立設された支軸２５にその支軸を中心に回転自在に取り付けられ、リンク２２は、そのレバー２３の長手方向中間位置に軸２６により枢着されている。そして、レバー２３の長手方向他端部に設けられた軸２７がフラップ１０の連結部１３の長孔１３ａに挿入されている。
図示されていないが、ソレノイド２１の中には、コイルバネが収納されて、プランジャー２４を常に突出する方向に付勢している。そして、ソレノイド２１に正方向の通電をすると、プランジャー２４が吸引され、その状態を保持される結果、図１及び図２において、レバー２３が支軸２５を中心として時計方向に回転され、軸２７及びフラップ１０の連結部１３を介してフラップ１０がピン１２を中心として同じく時計方向に回転される。そのため、フラップ１０の自由端が上下のガイド部３，４を越えて金庫１の収納空間方向の所定位置（第１位置）まで移動される。
また、ソレノイド２１に逆方向の通電をすると、吸引されていたプランジャー２４が突出され、その状態を保持される結果、図１及び図２において、レバー２３が支軸２５を中心として反時計方向に回転され、軸２７及びフラップ１０の連結部１３を介してフラップ１０がピン１２を中心として同じく反時計方向に回転される。そのため、フラップ１０の自由端が紙幣送入路５内に収納空間から離れる方向の所定位置（第２位置）まで移動される。
【００２７】
制御手段３０は、所定の条件に基づきソレノイド２１の通電方向（正方向通電又は逆方向通電）及び通電時間を制御するものであり、図５に例示するように、紙幣送入路５に送入される紙幣の先端が紙幣送入路５の末端まで送入されたことを検出するための第１センサ３１と、ソレノイド２１によるレバー２３又はフラップ１０の回転角度が両端の限界に達したことを検出するための第２センサ３２及び第３センサ３３と、これらのセンサからの検知信号を入力してソレノイド２１の通電を制御する制御回路３４とからなっている。  第２センサ３２及び第３センサ３３がレバー２３に設けた遮光片（図示省略）を検知した時点からソレノイドへの通電を止めるまでの時間を設定することにより、フラップ１０の自由端を停止させるべき第１位置及び第２位置の設定及び調整が可能である。
【００２８】
第１位置は、フラップの自由端が紙幣送入路５に送入された紙幣が押板６により上下のガイド部３，４を乗り越えた位置まで移動されたその紙幣の後端部側を上下のガイド部３，４を結ぶ平面上に限りなく近い位置である。第１位置に存在するときのフラップ１０の表面は、紙幣送入路５に送入される紙幣に対向して若干傾斜していることが望ましい。これにより、フラップが紙幣送入路５に送入される紙幣に対する案内作用を確実にすることができる。
また、第２位置は、第１位置から回転するフラップ１０の自由端が押板６により上下のガイド部３，４を乗り越えた位置まで移動されて受板８との間に挟持された紙幣の後端側を紙幣送入路５側に湾曲させて押し退けることができる位置である。
【００２９】
制御回路３４は、第１センサ３１からの検知信号に基づいてソレノイド２１に所定時間、正方向の通電を行う。これにより、ソレノイドのプランジャー２４の突出動作により、第１位置に保持されているフラップ１０は第２位置に向けて回転される。また、そのソレノイド２１のプランジャー２４の吸引動作によりレバー２３が第２センサ３２をオンさせた時、すなわち、フラップ１０が第２位置に到達したとき、制御回路３４は、正方向の通電を止めるとともに、ソレノイド２１に所定時間、逆方向の通電を行う。これにより、フラップ１０は第１位置に向けて回転される。レバー２３が第３センサ３３をオンさせた時、すなわち、フラップ１０は第１位置に復帰した時、制御回路３４は、逆方向の通電が止められる。
【００３０】
続いて、上記構成による一貫した作用を図８に基づいて説明する。
紙幣Ｎ４が紙幣送入路５に送入されるときは、図８（ａ）に示すように、押板６は待避位置に保持されている。また、フラップ１０は第１位置に保持されていて、先に収納空間２に収納された紙幣Ｎ１〜Ｎ３（枚数は単なる一例である。）の後端部側を受板８に押さえている。
その送入される紙幣Ｎ４が紙幣送入路５の末端まで到達すると、第１センサ３１が出力する検知信号に基づいて制御回路３４は押板６が押し込み終端位置に移動さると同時に、ソレノイド２１に正方向の通電を行うので、フラップ１０は、図８(ｂ)に示すように、ピン１２を中心に反時計方向に、すなわち第２位置方向に回転され、その際に、紙幣送入路５から押し込まれた紙幣Ｎ４の後端部側をフラップ１０の自由端が押し退けるため、その紙幣の後端部側はフラップ１０の自由端を乗り越え、さらに上下のガイド部３，４を結ぶ面よりも収納空間側に移動する。そして、正方向の通電によりフラップ１０の自由端が第２位置に到達した時は、第２センサ３２からの検知信号に基づき制御回路３４がソレノイド２１に逆方向の通電を行うので、フラップ１０はピン１２を中心に時計方向に回転される。第３センサ３３がレバー２３により作動されて、フラップ１０が第１位置に復帰したことを検知されると、制御回路３４がソレノイド２１への通電を止めるので、フラップ１０は第１位置に保持される。これにより、収納空間２に移動した紙幣Ｎ４は、先に収納された紙幣Ｎ１〜Ｎ３と共に、フラップ１０により受板８に押さえられる。従って、収納空間に収納された紙幣Ｎ１〜Ｎ４の紙幣送入路への膨らみが効果的に抑制される。
【００３１】
こうして、その後に紙幣送入路に送入される紙幣は、先に収納された紙幣Ｎ１〜Ｎ４に邪魔されることなく、紙幣送入路５の末端まで円滑に進行することができる。そのため、従来、紙幣送入路５の末端に到達するまでの間に、先に収納された紙幣同士の摩擦抵抗などにより発生した若干の湾曲や屈曲の蓄積により、最大収納枚数に限界があったが、本発明による紙幣収納装置においては、最大収納枚数を飛躍的に増大することができる。
【図面の簡単な説明】
【００３２】
【図１】本発明に係る紙幣収納装置の一部を省略した平面図。
【図２】同装置の要部を抽出した平面図。
【図３】フラップとフラップ駆動手段の斜視図。
【図４】フラップのみを反対側から見た斜視図。
【図５】制御手段の構成例を示す回路図。
【図６】図１の紙幣収納装置の紙幣送入路の入口側から見た部分斜視図。
【図７】図６の第１位置に存在するフラップが第２位置に回転したときの部分斜視図。
【図８】フラップ駆動手段の制御手段による制御に対応するフラップの動作を説明する作用説明図。
【図９】従来の紙幣収納装置の構成を示す図。
【図１０】本出願人が先に提案した紙幣収納装置の構成を示す図。
【符号の説明】
【００３３】
１      金庫（又は収納箱等）
２      収納空間
３      上部ガイド
４      下部ガイド
５      紙幣送入路
６      押板
７      コイルバネ（付勢手段）
８      受板
Ａ      収納補助機構
１０    フラップ
２０    フラップ駆動手段
３０    制御手段
６０    押板移動機構
【図１】
2010113637.tif 000003
【図２】
2010113637.tif 000004
【図３】
2010113637.tif 000005
【図４】
2010113637.tif 000006
【図５】
2010113637.tif 000007
【図６】
2010113637.tif 000008
【図７】
2010113637.tif 000009
【図８】
2010113637.tif 000010
【図９】
2010113637.tif 000011
【図１０】
2010113637.tif 000012